(57)【特許請求の範囲】
【請求項１】
連帳メディアに対して画像を形成する画像形成装置であって、
前記連帳メディアの搬送経路の一部を構成し、画像形成装置本体から引き出し可能な搬送架台を備え、
前記搬送架台は、
前記連帳メディアを上下方向から挟み込み、前記搬送経路を構成する一対の上面側ガイドプレートと下面側ガイドプレートと、
前記上面側ガイドプレート側に設けられ、前記搬送経路を搬送される連帳メディアを挟持することなくガイドするガイドローラーと、を有し、
前記連帳メディアにテンションが加わった状態においては、前記ガイドローラーが前記上面側ガイドプレートに対向する前記連帳メディアの上面に当接しながら回転し、前記上面側ガイドプレートと前記連帳メディアの前記上面との間隔を確保する、画像形成装置。
【請求項２】
前記上面側ガイドプレート側には、連帳メディアの搬送方向に沿って２つ以上のガイドローラーが設けられた、請求項１に記載の画像形成装置。
【請求項３】
前記２つ以上のガイドローラーは、１つのガイドローラーの回転に連動して他のガイドローラーも回転するように設けられた、請求項２に記載の画像形成装置。
【請求項４】
前記搬送架台は、上流側ガイドプレートと、該上流側ガイドプレートに対して連帳メディアの搬送方向における下流側に設けられた下流側ガイドプレートと、を有し、
前記上流側ガイドプレートと前記下流側ガイドプレートの各々が、前記上面側ガイドプレートと前記下面側ガイドプレートとを備え、２つの前記上面側ガイドプレート側にそれぞれ前記ガイドローラーが設けられた、請求項１から請求項３のいずれか１項に記載の画像形成装置。
【請求項５】
前記連帳メディアの搬送方向に対して、
前記上流側ガイドプレートは、上流側に前記ガイドローラーが設けられるとともに、下流側にも前記ガイドローラーが設けられ、
前記下流側ガイドプレートは、上流側に前記ガイドローラーが設けられるとともに、下流側にも前記ガイドローラーが設けられている、請求項４に記載の画像形成装置。
【請求項６】
前記上流側ガイドプレートの上流側に設けられる前記ガイドローラーと下流側に設けられる前記ガイドローラーとは、一方のガイドローラーの回転に連動して他方のガイドローラーも回転するように設けられ、
前記下流側ガイドプレートの上流側に設けられる前記ガイドローラーと下流側に設けられる前記ガイドローラーとは、一方のガイドローラーの回転に連動して他方のガイドローラーも回転するように設けられている、請求項５に記載の画像形成装置。
【請求項７】
前記ガイドローラーは、前記上面側ガイドプレートに対して、ロック部材を用いて着脱可能に設けられ、
前記搬送架台を前記画像形成装置本体の前側に向けて引き出した状態においては、前記ロック部材による前記ガイドローラーの装着状態が解除されて、前記ガイドローラーの取り出しが可能な状態となり、
前記搬送架台が前記画像形成装置本体の内部に収容された状態においては、前記ロック部材による前記ガイドローラーの装着状態が維持されて、前記ガイドローラーの取り出しが不可能な状態となる、請求項１から請求項６のいずれか１項に記載の画像形成装置。
【請求項８】
前記ガイドローラーは、前記搬送架台が引き出された状態で、外部に露出する様に設けられる、請求項１から請求項７のいずれか１項に記載の画像形成装置。
【発明の詳細な説明】
【技術分野】
【０００１】
本発明は、電子写真方式により画像を形成する画像形成装置に関する。画像形成装置は、カラー、モノクロを問わず、デジタル複写機、ＦＡＸ、プリンタなどの電子写真装置、記録機器、表示装置などを含む。
【背景技術】
【０００２】
コピー機、プリンタ、ファクシミリ、複合機などの電子写真方式の画像形成装置では感光体上に形成した静電潜像に現像装置から現像剤を供給し現像剤像を形成する。連帳メディアへの作像可能な電子写真方式の画像形成装置において、搬送経路を含む搬送架台を引き出す構成となることがある。搬送架台には搬送経路だけでなく、作像部のユニット等も搭載されていることもある。
【０００３】
ここで、連帳メディアとは、画像形成装置本体の内部に収容可能な枚葉紙（たとえばＡ３サイズ）よりも用紙長の長いメディアを意味し、たとえば垂れ幕、横断幕用の枚葉紙、ロール紙、連続用紙等を含む。メディアとしては、紙のみでなく、フィルム等、画像形成装置により印刷対象となるすべての紙状の媒体を含む。
【０００４】
搬送架台を引き出すのは、紙詰まり発生時、メンテナンス時、または、経路清掃時などがある。搬送架台を引き出す際には、搬送架台上の連帳メディアの上流および下流を切断する機構を有する構成が、特開２０１４―１１９６４９号公報（特許文献１）に開示されている。
【先行技術文献】
【特許文献】
【０００５】
【特許文献１】特開２０１４―１１９６４９号公報
【発明の概要】
【発明が解決しようとする課題】
【０００６】
既存の画像形成装置において、ラベルロール紙等の粘着剤を備える連帳メディアを用いる場合には、作像系のローラー、テンション付与のローラー以外は、蛇行の防止の観点からも、搬送ローラーは少ない構成にした方が好ましい。通常、連帳メディアは蛇行防止のため画像形成装置の内部で連帳メディアにテンションを与えているため、連帳メディアの経路はローラーとガイド板による最短経路になる。
【０００７】
テンションを張った際に搬送経路によっては、搬送経路に設けられたガイドプレートにラベルロール紙の端部が接触し、端部の糊がガイドプレートに付着することが考えられる。ガイドプレートは、上側ガイドプレートおよび下側ガイドプレートを有し、上側ガイドプレートと下側ガイドプレートとの間の微小な隙間をラベルロール紙が通過する。
【０００８】
特に、連帳メディアにテンションを与えた状態では、上側ガイドプレートへのラベルロール紙の糊の付着が考えられるが、上側ガイドプレートへの糊の付着は、通紙不良の原因となる。さらに、上側ガイドプレートと下側ガイドプレートとの間の隙間は狭いことから、ガイドプレートの清掃は困難である。
【０００９】
本発明の目的は、上記課題に鑑みてなされたものであり、連帳メディアを用いた画像形成装置において、ガイドプレートの清掃を容易にすることができる構成を備える画像形成装置を提供することにある。
【課題を解決するための手段】
【００１０】
この画像形成装置は、連帳メディアに対して画像を形成する画像形成装置であって、前記連帳メディアの搬送経路の一部を構成し、画像形成装置本体から引き出し可能な搬送架台を備える。
【００１２】
上記搬送架台は、上記連帳メディアの搬送方向に沿って見た場合に、上記連帳メディアを上下方向から挟み込む上流側ガイドプレートと、上記上流側ガイドプレートに対して下流側に設けられ、上記連帳メディアを上下方向から挟み込む下流側ガイドプレートと、を有する。
【００１３】
上記上流側ガイドプレートおよび上記下流側ガイドプレートの少なくといずれか一方には、上記連帳メディアにテンションが加わった状態においては、上記連帳メディアの上面側において、上記連帳メディアに当接しながら回転し、上記連帳メディアの上記搬送方向に対して交差する方向に延びるガイドローラーが設けられている。
【００１４】
他の形態においては、上記上流側ガイドプレートおよび上記下流側ガイドプレートのいずれにも、上記ガイドローラーが設けられている。
【００１５】
他の形態においては、上記連帳メディアの搬送方向に沿って見た場合に、上記上流側ガイドプレートは、上流側に上記ガイドローラーが設けられるとともに、下流側にも上記ガイドローラーが設けられ、上記下流側ガイドプレートは、上流側に上記ガイドローラーが設けられるとともに、下流側にも上記ガイドローラーが設けられている。
【００１６】
他の形態においては、上記上流側ガイドプレートの上流側に設けられる上記ガイドローラーと下流側に設けられる上記ガイドローラーとは、連動して回転するように設けられ、上記下流側ガイドプレートの上流側に設けられる上記ガイドローラーと下流側に設けられる上記ガイドローラーとは、連動して回転するように設けられている。
【００１７】
他の形態においては、上記上流側ガイドプレートにのみ上記ガイドローラーが設けられている。
【００１８】
他の形態においては、上記上流側ガイドプレートは、上流側に上記ガイドローラーが設けられるとともに、下流側にも上記ガイドローラーが設けられている。
【００１９】
他の形態においては、上記上流側ガイドプレートの上流側に設けられる上記ガイドローラーと下流側に設けられる上記ガイドローラーとは、連動して回転するように設けられる。
【００２０】
他の形態においては、上記下流側ガイドプレートにのみ上記ガイドローラーが設けられている。
【００２１】
他の形態においては、上記下流側ガイドプレートは、上流側に上記ガイドローラーが設けられるとともに、下流側にも上記ガイドローラーが設けられている。
【００２２】
他の形態においては、上記下流側ガイドプレートの上流側に設けられる上記ガイドローラーと下流側に設けられる上記ガイドローラーとは、連動して回転するように設けられる。
【００２３】
他の形態においては、上記ガイドローラーは、少なくともいずれか一方のガイドプレートに対して、ロック部材を用いて着脱可能に設けられ、上記搬送架台を上記画像形成装置本体の前側に向けて引き出した状態においては、上記ロック部材による上記ガイドローラーの装着状態が解除されて、上記ガイドローラーの取り出しが可能な状態となり、上記搬送架台が上記画像形成装置本体の内部に収容された状態においては、上記ロック部材による上記ガイドローラーの装着状態が維持されて、上記ガイドローラーの取り出しが不可能な状態となる。他の形態においては、上記ガイドローラーは、上記搬送架台が引き出された状態で、外部に露出する様に設けられる。
【発明の効果】
【００２４】
この画像形成装置によれば、連帳メディアを用いた画像形成装置において、ガイドプレートの清掃を容易にすることができる構成を備える画像形成装置の提供を可能とする。
【図面の簡単な説明】
【００２５】
【図１】実施の形態の画像形成装置の全体構成を示す模式図である。
【図２】実施の形態の画像形成装置の内部構成を示す模式図である。
【図３】実施の形態の搬送架台の内部構成を示す模式図である。
【図４】実施の形態の上流側ガイドプレートの構成を示す模式図である。
【図５】実施の形態の画像形成装置において、連帳メディアにテンションが加わった状態を示す模式図である。
【図６】実施の形態の画像形成装置における上流側ガイドプレートおよび下流側ガイドプレートの配置パターンを示す第１図である。
【図７】実施の形態の画像形成装置における上流側ガイドプレートおよび下流側ガイドプレートの配置パターンを示す第２図である。
【図８】実施の形態の画像形成装置における上流側ガイドプレートおよび下流側ガイドプレートの配置パターンを示す第３図である。
【図９】実施の形態の画像形成装置における上流側ガイドプレートおよび下流側ガイドプレートの配置パターンを示す第４図である。
【図１０】実施の形態の画像形成装置における上流側ガイドプレートおよび下流側ガイドプレートの配置パターンを示す第５図である。
【図１１】実施の形態の画像形成装置におけるガイドローラーのロック開閉機構（ロック状態）を示す模式図である。
【図１２】実施の形態の画像形成装置におけるガイドローラーのロック開閉機構（解除状態）を示す模式図である。
【図１３】実施の形態の画像形成装置におけるガイドローラーの連動回転機構を示す模式図である。
【発明を実施するための形態】
【００２６】
本発明に基づいた実施の形態における画像形成装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００２７】
（画像形成装置１）
図１および図２を参照して、本実施の形態における画像形成装置１の概略構成について説明する。図１は、画像形成装置１の全体構成を示す模式図、図２は、画像形成装置の内部構成を示す模式図である。
【００２８】
この画像形成装置１は、給紙装置１Ａ、画像形成装置本体１Ｂ、および、巻取装置１Ｃを備える。給紙装置１Ａは、ロール状に捲回された連帳メディアＰ１を有し、連帳メディアＰ１は、給紙装置１Ａから送出方向Ａ１に送り出された後に画像形成装置本体１Ｂ内の搬送経路を通過し、所定の画像が作像された後に、巻取装置１Ｃにおいてロール状に捲き取られる。
【００２９】
連帳メディアＰ１の搬送時における連帳メディアＰ１への引張張力Ｔ（テンション力）は、給紙装置１Ａの給紙速度および巻取装置１Ｃの巻取速度により調整される。たとえば、巻取装置１Ｃの巻取速度を給紙装置１Ａの給紙速度よりも早くすることで、連帳メディアＰ１への引張張力は高くなる。
【００３０】
画像形成装置本体１Ｂの内部には、連帳メディアＰ１に所定のトナー画像を転写する転写装置４０、および、連帳メディアＰ１に転写されたトナー画像を加熱により定着させる定着装置５０が設けられ、搬送経路の一部を構成している。
【００３１】
（搬送架台１００）
図３を参照して、搬送架台１００について説明する。図３は、搬送架台１００の内部構成を示す模式図である。画像形成装置本体１Ｂの内部には、転写装置４０の一部、および、定着装置５０を備え、連帳メディアＰ１の搬送経路の一部を構成し、画像形成装置本体１Ｂの前側に向けて引き出し可能な搬送架台１００が設けられている。ここで、前側とは、利用者が画像形成装置１を操作する際にモニター等を用いて操作する側の位置をいい、図１から図３において、手前側となる。
【００３２】
この搬送架台１００には、連帳メディアＰ１の搬送方向に沿って見た場合に、転写装置４０の一部の上流側に設けられ、連帳メディアＰ１を上下方向から挟み込む上流側ガイドプレート２００を備える。搬送架台１００の連帳メディアＰ１の入り口に位置する画像形成装置本体１Ｂの内部には、一対の搬送ローラーＧＲ１１，ＧＲ１２が設けられている。
【００３３】
搬送架台１００において、上流側ガイドプレート２００の下流側には、転写装置４０の一部を構成する転写ベルト４１、転写ローラー４２および二次転写ローラー４３が位置している。二次転写ローラー４３が、搬送架台１００に設けられている。
【００３４】
二次転写ローラー４３の下流側には、搬送ベルト６０が設けられている。搬送ベルト６０の下流側には、定着装置５０が設けられている。定着装置５０は、定着加熱ローラー５１および定着加熱ローラー５２を含む。定着装置５０の下流側には、連帳メディアＰ１を上下方向から挟み込む下流側ガイドプレート３００が設けられている。搬送架台１００の連帳メディアＰ１の出口に位置する画像形成装置本体１Ｂの内部には、一対の搬送ローラーＧＲ２１，ＧＲ２２が設けられている。
【００３５】
本実施の形態では、一例として、上流側ガイドプレート２００は、下流側が下方に向って傾斜するように設けられ、下流側ガイドプレート３００は、下流側が上方に向って傾斜するように設けられている。
【００３６】
画像形成装置本体１Ｂの内部において、紙詰まり発生時、メンテナンス時、または、経路清掃時などの場合に搬送架台１００が、画像形成装置本体１Ｂから前面に向けてを引き出される。この際、搬送架台１００上の連帳メディアＰ１の上流（入口側）および下流（出口側）が切断される。連帳メディアＰ１を切断する機構は、たとえば、上述の特許文献１に開示される機構が採用される。
【００３７】
（ガイドプレート）
次に、ガイドプレートの構成について説明する。上流側ガイドプレート２００および下流側ガイドプレート３００の構成は同じであることから、図４を参照して、上流側ガイドプレート２００の構成について説明する。図４は、上流側ガイドプレート２００の構成を示す模式図であり、図中のカッコ内の数字は、下流側ガイドプレート３００の構成の場合を示す。
【００３８】
上流側ガイドプレート２００は、連帳メディアＰ１の下面側に位置する下面側ガイドプレート２１０（３１０）と連帳メディアＰ１の上面側に位置する上面側ガイドプレート２２０（３２０）とを有する。連帳メディアＰ１が通過する下面側ガイドプレート２１０（３１０）と上面側ガイドプレート２２０（３２０）との間隙は、約数ｍｍから十ｍｍ程度である。
【００３９】
上面側ガイドプレート２２０（３２０）には、連帳メディアＰ１にテンションが加わった状態において、連帳メディアＰ１に当接しながら回転する、連帳メディアＰ１の搬送方向に対して交差する方向に延びる円筒形状のガイドローラー２３０（３３０）が設けられている。上面側ガイドプレート２２０（３２０）のプレート部２２０ｐ（３２０ｐ）には、開口２２０ｈ（３２０ｈ）が設けられ、開口２２０ｈからガイドローラー２３０（３３０）が一部露出することにより、ガイドローラー２３０（３３０）の連帳メディアＰ１への当接を可能とする。
【００４０】
図５参照して、上流側ガイドプレート２００に設けられたガイドローラー２３０、および、下流側ガイドプレート３００に設けられたガイドローラー３３０の機能について説明する。図５は、画像形成装置１において、連帳メディアＰ１にテンションが加わった状態を示す模式図である。
【００４１】
連帳メディアＰ１にテンションが加わった状態においては、転写装置４０および定着装置５０が稼働する。転写装置４０においては、二次転写ローラー４３が連帳メディアＰ１を転写ローラー４２とともに挟み込む。定着装置５０は、定着加熱ローラー５２が連帳メディアＰ１を定着加熱ローラー５１とともに挟み込む。これにより、連帳メディアＰ１にはテンションが加わることから、連帳メディアＰ１は、最短の経路を通過する。そのため、連帳メディアＰ１は、上流側ガイドプレート２００および下流側ガイドプレート３００の上側に押し付けられた状態となる。
【００４２】
本実施の形態では、上流側ガイドプレート２００の上面側ガイドプレート２２０にガイドローラー２３０が設けられている。これにより、上流側ガイドプレート２００を通過する連帳メディアＰ１は、ガイドローラー２３０に当接しながら搬送される。同様に、下流側ガイドプレート３００の上面側ガイドプレート３２０にガイドローラー３３０が設けられていることから、下流側ガイドプレート３００を通過する連帳メディアＰ１は、ガイドローラー３３０に当接しながら搬送される。
【００４３】
このようにして、連帳メディアＰ１は、ガイドローラー２３０，３３０に当接しながら搬送されることから、たとえば、連帳メディアＰ１が糊等の粘着剤を含む場合であっても、ガイドプレートが糊で汚れることなく、ガイドローラー２３０，３３０が粘着剤で汚れることとなる。
【００４４】
粘着剤で汚れたガイドローラー２３０，３３０は、搬送架台１００を前面側に引き出すことで、ガイドローラー２３０，３３０の清掃を行なうことができる。ガイドローラー２３０は、上流側ガイドプレート２００の上面側ガイドプレート２２０に設けられていることから、搬送架台１００を前面側に引き出すことで、外部に露出する状態となることから、容易にガイドローラー２３０の表面の清掃を行なうことができる。同様に、下流側ガイドプレート３００の上面側ガイドプレート３２０に設けられていることから、搬送架台１００を前面側に引き出すことで、外部に露出する状態となることから、容易にガイドローラー３３０の表面の清掃を行なうことができる。
【００４５】
図５に示す上流側ガイドプレート２００には、一つのガイドローラー２３０が設けられ、同様に、下流側ガイドプレート３００にも一つのガイドローラー３３０が設けられている。この場合に、連帳メディアＰ１が上流側ガイドプレート２００に最も接触し易い箇所は上流側ガイドプレート２００の下流側となるため、ガイドローラー２３０も下流側に設けるとよい。同様に、連帳メディアＰ１が下流側ガイドプレート３００に最も接触し易い箇所は下流側ガイドプレート３００の上流側となるため、ガイドローラー３３０も上流側に設けるとよい。
【００４６】
図６から図１０に示すように、上流側ガイドプレート２００および下流側ガイドプレート３００を配置してもよい。図６から図１０は、上流側ガイドプレート２００および下流側ガイドプレート３００の配置パターンを示す第１図から第５図である。
【００４７】
各図において、上流側ガイドプレート２００には、二つのガイドローラー２３０を設ける場合を示し、下流側ガイドプレート３００には、二つのガイドローラー３３０を設ける場合を示しているが、ガイドローラーを設ける数量は、適宜変更可能であり、図３および図５に示すように、一つ場合、二つ以上の複数設けることも可能である。
【００４８】
図６に示す配置パターンは、上流側ガイドプレート２００および下流側ガイドプレート３００は、水平となるように配置されている。図７に示す配置パターンは、図３および図５と同様に、上流側ガイドプレート２００は、下流側が下方に向って傾斜するように設けられ、下流側ガイドプレート３００は、下流側が上方に向って傾斜するように設けられている。
【００４９】
図８に示す配置パターンは、上流側ガイドプレート２００は、下流側が上方に向って傾斜するように設けられ、下流側ガイドプレート３００は、下流側が上方に向って傾斜するように設けられている。図９に示す配置パターンは、上流側ガイドプレート２００は、下流側が下方に向って傾斜するように設けられ、下流側ガイドプレート３００も、下流側が下方に向って傾斜するように設けられている。図１０に示す配置パターンは、上流側ガイドプレート２００は、下流側が上方に向って傾斜するように設けられ、下流側ガイドプレート３００は、下流側が下方に向って傾斜するように設けられている。
【００５０】
これらの配置パターンは、画像形成装置本体１Ｂの内部構造に基づき、適宜選択される構成となる。
【００５１】
（ロック開閉機構）
図１１および図１２を参照して、ガイドローラー２３０に設けられるロック開閉機構について説明する。図１１は、ガイドローラー２３０のロック開閉機構（ロック状態）を示す模式図、図１２は、ガイドローラー２３０のロック開閉機構（解除状態）を示す模式図である。なお、ガイドローラー３３０にも同様のロック開閉機構を設けることが可能であることから、重複する説明は繰り返さないこととする。
【００５２】
ガイドローラー２３０は、回転軸２３０ｃを有している。回転軸２３０ｃは、上面側ガイドプレート２２０に設けられたＵ字形状のスリット溝２２０ｓに回転可能に嵌め入れられている。上面側ガイドプレート２２０には、回転軸２３０ｃに係合可能なロック部材２５０が回転中心２５０ａを中心にして回動可能に取り付けられている。
【００５３】
図１１に示す状態は、ロック部材２５０が回転軸２３０ｃに係合し、ガイドローラー２３０の上面側ガイドプレート２２０への装着状態が維持されて、ガイドローラー２３０が上面側ガイドプレート２２０から取り外せない状態である。
【００５４】
図１２に示す状態は、ロック部材２５０が半時計回転方向に９０度回転することで、ロック部材２５０によるガイドローラー２３０の装着状態が解除されて、ガイドローラー２３０の上面側ガイドプレート２２０からの取り出しが可能な状態である。
【００５５】
ロック部材２５０の回転中心２５０ａには、回転連動軸２６０が連結されている。回転連動軸２６０には、さらに、搬送架台１００を前側に引き出す際に用いられるハンドル２７０が連結されている。
【００５６】
図１１に示す状態においては、搬送架台１００は、画像形成装置本体１Ｂの内部に収容されており、ハンドル２７０および回転連動軸２６０は図示しない搬送架台１００の引出ロック機構をロック状態に維持している。
【００５７】
図１２に示す状態においては、ハンドル２７０および回転連動軸２６０は、半時計回転方向に９０度回転させた後の状態であり、搬送架台１００の引出ロック機構をロック状態から解放状態にて、搬送架台１００の前側への引出が可能な状態となっている。
【００５８】
このように、搬送架台１００を画像形成装置本体１Ｂの前側に向けて引き出した状態においては、ロック部材２５０によるガイドローラー２３０の装着状態が解除されて、ガイドローラー２３０の取り出しが可能な状態となり、搬送架台１００が画像形成装置本体１Ｂの内部に収容された状態においては、ロック部材２５０によるガイドローラー２３０の装着状態が維持されて、ガイドローラー２３０の取り出しが不可能な状態となる構成を採用することで、安全に画像形成装置本体１Ｂを稼働させることができるとともに、ガイドローラー２３０の取り換え作業も安全にかつ容易に行なうことが可能となる。
【００５９】
（連動回転機構）
図１３を参照して、ガイドローラー２３０が２以上設けられた場合の連動回転機構について説明する。図１３は、ガイドローラー２３０の連動回転機構を示す模式図である。なお、ガイドローラー３３０にも同様のロ連動回転機構を設けることが可能であることから、重複する説明は繰り返さないこととする。
【００６０】
連動回転機構として、並列に配置されたガイドローラー２３０の回転軸２３０ｃに、連動ベルト２３０ｂを架け渡すようにすることで、一方のガイドローラー２３０を回転させることで、他方のガイドローラー２３０も、同時に回転させることができる。この連動回転機構を採用することで、二つ以上のガイドローラー２３０を同時に回転させながらガイドローラー２３０の表面の清掃を行なうことが可能となり、清掃効率の向上を図ることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  画像形成装置、１Ａ  給紙装置、１Ｂ  画像形成装置本体、１Ｃ  巻取装置、４０  転写装置、４１  転写ベルト、４２  転写ローラー、４３  二次転写ローラー、５０  定着装置、５１  定着加熱ローラー、５２  定着加圧ローラー、６０  搬送ベルト、１００  搬送架台、２００  上流側ガイドプレート、２１０  下面側ガイドプレート、２２０，３２０  上面側ガイドプレート、２２０ｈ  開口、２２０ｐ  プレート部、２２０ｓ  スリット溝、２３０，３３０  ガイドローラー、２３０ｂ  連動ベルト、２３０ｃ  回転軸、２５０  ロック部材、２５０ａ  回転中心、２６０  回転連動軸、２７０  ハンドル、３００  下流側ガイドプレート、ＧＲ１１，ＧＲ１２，ＧＲ２１，ＧＲ２２  搬送ローラー、Ｐ１  連帳メディア。
【図１】
0006701855.tif 000002
【図２】
0006701855.tif 000003
【図３】
0006701855.tif 000004
【図４】
0006701855.tif 000005
【図５】
0006701855.tif 000006
【図６】
0006701855.tif 000007
【図７】
0006701855.tif 000008
【図８】
0006701855.tif 000009
【図９】
0006701855.tif 000010
【図１０】
0006701855.tif 000011
【図１１】
0006701855.tif 000012
【図１２】
0006701855.tif 000013
【図１３】
0006701855.tif 000014